(57)【要約】【課題】  この発明は、抗菌効果、消臭効果及びホルムアルデヒド放散阻止効果を目的としたものである。【解決手段】  この発明は、ニトリル系抗菌剤、ピリジン系抗菌剤、ハロアルキルチオ系抗菌剤、有機ヨード系抗菌剤及びチアゾール系抗菌剤を有効成分とし、更に植物乾留エキスを加えた組成物に、尿素を主成分とするアミノ基含有の水溶液を加えたことを特徴とするホルムアルデヒド放散阻止・消臭・抗菌組成物により目的を達成した。【選択図】  なし【特許請求の範囲】
【請求項１】
ニトリル系抗菌剤、ピリジン系抗菌剤、ハロアルキルチオ系抗菌剤、有機ヨード系抗菌剤及びチアゾール系抗菌剤を有効成分とし、更に植物乾留エキスを加えた組成物に、尿素を主成分とするアミノ基含有の水溶液を加えたことを特徴とするホルムアルデヒド放散阻止・消臭・抗菌組成物。
【請求項２】
ニトリル系抗菌剤、ピリジン系抗菌剤、ハロアルキルチオ系抗菌剤、有機ヨード系抗菌剤、チアゾール系抗菌剤及びベンツイミダゾール系抗菌剤を有効成分とし、更に植物乾留エキスを加えた組成物に、尿素を主成分とするアミノ基含有の水溶液を加えたことを特徴とするホルムアルデヒド放散阻止・消臭・抗菌組成物。
【請求項３】
ニトリル系抗菌剤がハロイソフタロニトリル化合物から、ピリジン系抗菌剤がスルフォニルハロピリジン化合物及び／又はピリジンチオール−１−オキシド化合物から、ハロアルキルチオ系抗菌剤がハロアルキルチオスルフィミド化合物から、有機ヨード系抗菌剤がヨードスルフォニルベンゼン化合物から、チアゾール系抗菌剤がイソチアゾリン−３−オン化合物から、ベンツイミダゾール系抗菌剤がベンツイミダゾールカルバミン酸化合物及び／又はチアゾリルベンチイミダゾール化合物から、それぞれ選ばれることを特徴とする請求項１又は２記載のホルムアルデヒド放散阻止・消臭・抗菌組成物。
【請求項４】
植物乾留抽出物エキスの成分は、アビエチン酸、脂油、アミノ酸、葉酸、フラボノイドデキストリン、酢酸、葉緑素、各種ビタミンを含むことを特徴とした請求項１又は２記載のホルムアルデヒド放散阻止・消臭・抗菌組成物。
【請求項５】
尿素を主成分とするアミノ基含有の水溶液は、尿素１０％〜３０％（質量）及び水７０％〜９０％（質量）としたことを特徴とする請求項１又は２記載のホルムアルデヒド放散阻止・消臭・抗菌組成物。
【発明の詳細な説明】
【技術分野】
【０００１】
この発明は、抗菌、防黴、防藻、消臭及びホルムアルデヒド放散阻止を目的としたホルムアルデヒド放散阻止・消臭・抗菌組成物に関する。
【背景技術】
【０００２】
従来各種抗菌剤を配合して、防菌、防黴、防藻効果のある抗菌組成物が提案されている。この抗菌組成物は、複数の抗菌剤を使用することにより、その相乗効果で菌類の阻止能力を発揮し、多種類の細菌、真菌類、微小藻類等を有効に阻止するとされている。
【特許文献１】特開平８−９２０１２
【発明の開示】
【発明が解決しようとする課題】
【０００３】
前記公知の組成物は、防菌、防黴、防藻に多大の効果を発揮することができるが、防臭及びホルムアルデヒド放散阻止については、効力がない問題点があった。
【０００４】
この発明は、前記公知の組成物に、植物乾留抽出エキスを原料とした消臭剤有効成分として配合し、更に尿素を主成分とするアミノ基含有の水溶液を混合することにより、前記問題点の解決に成功したのである。
【課題を解決するための手段】
【０００５】
即ちこの発明は、ニトリル系抗菌剤、ピリジン系抗菌剤、ハロアルキルチオ系抗菌剤、有機ヨード系抗菌剤及びチアゾール系抗菌剤を有効成分とし、更に植物乾留エキスを加えた組成物に、尿素を主成分とするアミノ基含有の水溶液を加えたことを特徴とするホルムアルデヒド放散阻止・消臭・抗菌組成物であり、ニトリル系抗菌剤、ピリジン系抗菌剤、ハロアルキルチオ系抗菌剤、有機ヨード系抗菌剤、チアゾール系抗菌剤及びベンツイミダゾール系抗菌剤を有効成分とし、更に植物乾留エキスを加えた組成物に、尿素を主成分とするアミノ基含有の水溶液を加えたことを特徴とするホルムアルデヒド放散阻止・消臭・抗菌組成物である。
【０００６】
また他の発明は、ニトリル系抗菌剤がハロイソフタロニトリル化合物から、ピリジン系抗菌剤がスルフォニルハロピリジン化合物及び／又はピリジンチオール−１−オキシド化合物から、ハロアルキルチオ系抗菌剤がハロアルキルチオスルフィミド化合物から、有機ヨード系抗菌剤がヨードスルフォニルベンゼン化合物から、チアゾール系抗菌剤がイソチアゾリン−３−オン化合物から、ベンツイミダゾール系抗菌剤がベンツイミダゾールカルバミン酸化合物及び／又はチアゾリルベンチイミダゾール化合物から、それぞれ選ばれるものであり、植物乾留抽出物エキスの成分は、アビエチン酸、脂油、アミノ酸、葉酸、フラボノイドデキストリン、酢酸、葉緑素、各種ビタミンを含むものであり、尿素を主成分とするアミノ基含有の水溶液は、尿素１０％〜３０％（質量）及び水７０％〜９０％（質量）としたものである。
【０００７】
この発明は、公知の技術によりなる前記抗菌組成物と均一に混合し、かつ化学変化を生じない植物乾留抽出エキスによる消臭剤と、他の成分に影響を与えない尿素を主成分とする水溶液を混入することにより、この発明の目的を達成したものである。
【０００８】
この発明における各成分の割合は、水１００、尿素混合液１００に対し、抗菌組成物０．１％〜５０％（質量）、消臭剤０．１％〜５０％（質量）とするものである。
【０００９】
前記この発明の組成物は、前記成分割合を基本とするが、使用対象物によって何倍かに水で希釈して使用する。そこで抗菌組成物と、消臭剤の使用濃度は、０．１％〜１０％（質量）が好ましい。
【００１０】
即ち０．１％未満では抗菌効果及び消臭効果が減少するが、不安定になるおそれがあり、１０％以上の濃度にしても、効果の増強は認められないからである。この発明において混入したホルムアルデヒド放散防止のためには、尿素を主成分とする水溶液の使用量は、１．５ｇ／ｍ２〜５．０ｇ／ｍ２である。
【発明の効果】
【００１１】
この発明によれば、５７種類の菌に対し、抗菌性を発揮すると共に、動物臭など従来消臭困難とされていた臭気に対して消臭効果が認められた（表１）。
【表１】
2005270214.tif 000002
【００１２】
またホルムアルデヒドの放散を阻止することが認められた。
【発明を実施するための最良の形態】
【００１３】
この発明は、ハロイソフタロニトリル化合物、スルフォニルハロピリジン化合物及び／又はピリジンチオール−１−オキシド化合物、ハロアルキルチオスルフィミド化合物、ヨードスルフォニルベンゼン化合物、イソチアゾリン−３−オン化合物、ベンツイミダゾールカルバミン酸化合物及び／又はチアゾリルベンチイミダゾール化合物の夫々から得た一種又は二種を混合した組成物に、植物乾留抽出エキスによる消臭剤と、尿素を主成分とする尿素混合液を次の割合に混合してホルムアルデヒド放散阻止・消臭・抗菌組成物を得た。
【００１４】
水    １００
尿素混合液    １００
抗菌組成物  ０．１％〜５０％
消臭剤      ０．１％〜５０％
【実施例１】
【００１５】
この発明を実施例について説明すると、２，４，５，６−テトラクロロイソフタロニトリル２０％（質量）、２，３，５，６−テトラクロロ−４−メチルスルホニルピリジン１７％（質量）、Ｎ，Ｎ−ジメチル−Ｎ’−（フロロジ  クロロメチルチオ）スルフィミド９％（質量）、２−（４−チアゾリル）−１Ｈ−ベンズイミダゾール３％（質量）、２−ピリジンチオール−１−オキシド  ナトリウム３％（質量）、ジョード  メチル−Ｐ−トリルスルフォン２３％（質量）、２−（ｎ−オクチル）−４−イソチアゾ  リン−３−オン１４％（質量）、１Ｈ−２−ベンツイミダ  ゾールカルバ  ミン酸メチル７％（質量）、Ｎ−フロロジ  クロロメチルチオフタルイミド２％（質量）、及び３−エトキシカルボ  ニルオキシ−Ｉ−ブロム−１，２−ジョード−１−ブロペン２％（質量）よりなる組成物に、植物乾留エキス１００と、尿素を主成分とするアミノ基含有の水溶液１００に対し、防黴剤２％、消臭剤２％を含む組成物を添加してこの発明のホルムアルデヒド放散阻止・消臭・防菌組成物を得た。
【００１６】
（試験例１）
供試品・・・ホルムアルデヒド放散阻止組成物。
【００１７】
試験目的・・・供試品を合板（１２ｍｍ厚、３０×３０ｃｍ）に塗布し、２４時間後に放散量の測定を行なった。
【００１８】
試験結果・・・表２
【表２】
2005270214.tif 000003
【００１９】
試験方法
試薬及び器具
ＪＡＳ：普通合板の日本農林規格に準拠する。
【００２０】
操作  供試品を３．０ｇを３０ｃｍ×３０ｃｍの合板に塗布し１日（２４時間）乾燥後放散量の測定を行なった。
【００２１】
表２の効果の混合率
尿素混合水溶液    ５０％
精製水            ５０％
抗菌組成物          ３％
【表３】
2005270214.tif 000004
【００２２】
試薬及び器具
パッシブサンプリング法    高速液体クロマトグラフ
ガスクロマトグラフ／質量分析計
操作
供試品を壁面に５０ｇ／ｍ２の割合にて塗布し、２４時間経過後パッシブサンプリング法により測定した。
【００２３】
表３の効果の混合割合
尿素混合水溶液    ５０％
精製水            ５０％
抗菌組成物          ２％
消臭剤              １％